(57)【要約】【課題】灰皿の使用・不使用の選択自由に行なえ、いずれの状態においても遊技者に興趣を持たせることが可能な遊技機を提供する。【解決手段】灰皿８は、灰皿本体１１を遊技機前面側に露出し、灰皿８が使用可能となる灰皿使用位置と、灰皿本体１１を遊技機背面側に向かせて灰皿８を使用不能とし発光手段２６の発光態様が視認可能となる灰皿不使用位置とで切替え可能に設けられている。【選択図】図７
2008295962.tif 000002
【特許請求の範囲】
【請求項１】
遊技者が視認可能な位置に灰皿を備えた遊技機であって、灰皿は灰皿本体とカバー部材に覆われた発光手段が一体に組み付けられ、灰皿本体を遊技機前面側に露出し、灰皿が使用可能となる灰皿使用位置と、灰皿本体を遊技機背面側に向かせて灰皿を使用不能とし発光手段の発光態様が視認可能となる灰皿不使用位置とで切替え可能に設けられている遊技機。
【請求項２】
発光手段は、灰皿不使用位置でカバー部材を通じて遊技者が発光態様を視認可能であるうえに灰皿使用位置においても遊技者が発光手段の発光態様が視認可能となるように設けられる請求項１記載の遊技機。
【請求項３】
灰皿は中空の回転軸を中心に回転可能に支持され灰皿使用位置と不使用位置で回転位置を固定して切り替えられ、発光手段に接続するリード線が軸内を通じて配線される請求項１又は２記載の遊技機。
【請求項４】
灰皿が回転軸を中心に回転する回転角度を規制する規制手段が設けられており、灰皿不使用位置において発光手段の光軸が鉛直面に対して斜め上向きに傾斜するように灰皿の回転が規制されて固定される請求項１乃至３のいずれか１項記載の遊技機。
【請求項５】
灰皿使用位置で灰皿本体を手前側に所定角度回転を許容する回転機構を備えている請求項１乃至４のいずれか１項記載の遊技機。
【請求項６】
灰皿の遊技機前面側への突出量は、灰皿使用位置よりも灰皿不使用位置の突出量が小さくなるように設定される請求項１乃至５のいずれか１項記載の遊技機。
【請求項７】
灰皿不使用位置において遊技者に発光態様を視認させる第１の発光手段と、
灰皿使用位置において遊技者に発光態様を視認させる第２の発光手段と、
灰皿の使用・不使用位置を検出する位置検出手段と、
位置検出手段の検出結果に応じて第１、第２の発光手段の発光動作を制御する発光制御手段を備え、
位置検出手段が灰皿不使用位置を検出したとき発光制御手段は第１の発光手段のみを、灰皿使用位置を検出したとき発光制御手段は第２の発光手段のみを発光させるよう制御する請求項１乃至６のいずれか１項記載の遊技機。
【発明の詳細な説明】
【技術分野】
【０００１】
本発明は、枠体の前面枠に灰皿を備えた遊技機に関する。
【背景技術】
【０００２】
ぱちんこ機、スロットマシンなどの遊技機には、前面枠の下部に設けられている。灰皿は、ホール係員が吸殻を随時回収できるように回転可能に設けられる。
また、近年分煙化や禁煙化が進む中で、遊技者自身或いはホール側が灰皿の開口を開閉可能に切り替えることが可能な灰皿取付装置が提案されている（特許文献１）。
また、遊技に直接関与しない灰皿を背面側より間接的に照明することで輪郭を強調して照明演出効果を上げた照明システムも提案されている（特許文献２）。
また、灰皿ＬＥＤを設けて灰皿を光らせて演出効果を狙った遊技機も提案されている（特許文献３）。
【特許文献１】特開２００４−１７３７０６号公報
【特許文献２】特開２００４−１８１１４８号公報
【特許文献３】特開２００６−１２２１７４号公報
【発明の開示】
【発明が解決しようとする課題】
【０００３】
近年、遊技機に設けられている灰皿を遊技者に使用させないように蓋をしたり、島に設置されている吸殻回収機や喫煙所の灰皿を使用させたりするホールが増えている。
灰皿を使用状態と不使用状態とで切替える場合には、不使用状態の灰皿は何も利用価値がなく、無駄なスペースとなってしまう。
また、灰皿そのものは、金属製であったり耐熱性の樹脂（熱硬化性樹脂）であったりするため、光を透過する材質ではない。よって、灰皿の周囲を間接的に照明しても演出効果は限られたものであり、蓋をすることで発光範囲は狭まってしまう。よって、灰皿そのものを光源により光らせても視認性は向上し難い。
【０００４】
本発明は、このような事情に鑑みてなされたもので、灰皿の使用・不使用の選択自由に行なえ、いずれの状態においても遊技者に興趣を持たせることが可能な遊技機を提供することにある。
【課題を解決するための手段】
【０００５】
本発明は上記目的を達成するため、次の構成を備える。
遊技者が視認可能な位置に灰皿を備えた遊技機であって、灰皿は灰皿本体とカバー部材に覆われた発光手段が一体に組み付けられ、灰皿本体を遊技機前面側に露出し、灰皿が使用可能となる灰皿使用位置と、灰皿本体を遊技機背面側に向かせて灰皿を使用不能とし発光手段の発光態様が視認可能となる灰皿不使用位置とで切替え可能に設けられていることを特徴とする。
【０００６】
また、発光手段は、灰皿不使用位置でカバー部材を通じて遊技者が発光態様を視認可能であるうえに灰皿使用位置においても遊技者が発光手段の発光態様が視認可能となるように設けられることを特徴とする。
【０００７】
また、灰皿は中空の回転軸を中心に回転可能に支持され灰皿使用位置と不使用位置で回転位置を固定して切り替えられ、発光手段に接続するリード線が軸内を通じて配線されることを特徴とする。
【０００８】
また、灰皿が回転軸を中心に回転する回転角度を規制する規制手段が設けられており、灰皿不使用位置において発光手段の光軸が鉛直面に対して斜め上向きに傾斜するように灰皿の回転が規制されて固定されることを特徴とする。
【０００９】
灰皿使用位置で灰皿本体を手前側に所定角度回転を許容する回転機構を備えていることを特徴とする。
【００１０】
灰皿の遊技機前面側への突出量は、灰皿使用位置よりも灰皿不使用位置の突出量が小さくなるように設定されることを特徴とする。
【００１１】
灰皿不使用位置において遊技者に発光態様を視認させる第１の発光手段と、灰皿使用位置において遊技者に発光態様を視認させる第２の発光手段と、灰皿の使用・不使用位置を検出する位置検出手段と、位置検出手段の検出結果に応じて第１、第２の発光手段の発光動作を制御する発光制御手段を備え、位置検出手段が灰皿不使用位置を検出したとき発光制御手段は第１の発光手段のみを、灰皿使用位置を検出したとき発光制御手段は第２の発光手段のみを発光させるよう制御することを特徴とする。
【発明の効果】
【００１２】
上述した遊技機を用いれば、灰皿本体を遊技機前面側に露出し、灰皿が使用可能となる灰皿使用位置と、灰皿本体を遊技機背面側に向かせて灰皿を使用不能とし発光手段の発光態様が視認可能となる灰皿不使用位置とで灰皿が切替え可能に設けられている。よって、灰皿使用時と不使用時とで発光手段の発光態様を工夫することで、灰皿を遊技機前面側に備わる装飾部や表示部と同様に装飾、演出、報知、広告宣伝効果を持たせることができる。
【００１３】
また、発光手段は、灰皿不使用位置でカバー部材を通じて遊技者が発光態様を視認可能であるうえに灰皿使用位置においても遊技者が発光手段の発光態様が視認可能となるように設けられる。よって、灰皿の使用不使用状態に応じて遊技機の演出効果を変えて遊技者に興趣を持たせることができる。
【００１４】
灰皿は中空の回転軸を中心に回転可能に支持され灰皿使用位置と不使用位置で回転位置を固定して切り替えられ、発光手段に接続するリード線が軸内を通じて配線されるので、灰皿の使用不使用状態にかかわらず同じ位置からリード線を引き出すことができ、リード線が灰皿と干渉したりねじれたりすることなく配線できる。
【００１５】
灰皿が回転軸を中心に回転する回転角度を規制する規制手段が設けられているので、遊技者が勝手に灰皿の使用不使用を切り替えることをなくすことができる。また、回転角度を１８０°以下にすることで、リード線のねじれを少なくでき、スムーズな切替えができる。さらに、灰皿不使用位置において発光手段の光軸が鉛直面に対して斜め上向きに傾斜するように灰皿の回転が規制されて固定されるので、遊技者が下方より発光する灰皿の演出効果を視認し易くなる。
【００１６】
灰皿使用位置で灰皿本体を手前側に所定角度回転を許容する回転機構を備えていると、使用位置に固定された灰皿本体に溜まった吸殻をホール係員が回収し易くなる。
【００１７】
灰皿の遊技機前面側への突出量は、灰皿使用位置よりも灰皿不使用位置の突出量が小さくなるように設定されるので、灰皿不使用時に遊技機前面側のスペースを大きく確保することができ、遊技者の使い勝手が向上する。
【００１８】
また、灰皿不使用位置において遊技者に発光態様を視認させる第１の発光手段と、灰皿使用位置において遊技者に発光態様を視認させる第２の発光手段と、灰皿の使用・不使用位置を検出する位置検出手段と、位置検出手段の検出結果に応じて第１、第２の発光手段の発光動作を制御する発光制御手段を備え、位置検出手段が灰皿不使用位置を検出したとき発光制御手段は第１の発光手段のみを、灰皿使用位置を検出したとき発光制御手段は第２の発光手段のみを発光させるよう制御することで、装飾効果が弱い遊技機背面側を向いている第１又は第２の発光手段の発光を抑制することで消費電力を節約することができる。
【発明を実施するための最良の形態】
【００１９】
以下、本発明の実施形態について図面を参照しながら具体的に説明する。
図１及び図２を参照して本実施形態に係る遊技機の概略構成について説明する。遊技機本体１を構成する外枠２と遊技盤が設けられた内枠（図示せず）と、内枠を覆う前面枠３を備えている。前面枠３の下部には、下皿ユニット３３が設けられている。内枠はヒンジ４により外枠２に対して開閉可能に取り付けられている。また、前面枠３は内枠に開閉可能に取り付けられている（ヒンジ部図示せず）。前面枠３には図示しない発光装置が内蔵されており、遊技動作と連係した装飾機能や報知機能を備えた表示装置が設けられている。また前面枠３の表示窓５の下方には遊技者が投入する遊技球及び払い出しされた賞球等を受け得る上受け皿６が設けられており、下皿ユニット３３には下受け皿７が設けられている。下受け皿７の両側には、タバコを収容する灰皿８、遊技盤上に遊技球を打ち出すためのハンドル９が設けられている。灰皿８は後述するように使用状態（図１）と不使用状態（図２）を切替えて使用される。
【００２０】
図６（ａ）〜（ｇ）において、灰皿８は、ベース部１０の一方面に灰皿本体１１及び第２の発光手段（第２の発光基板２６）が一体に組み付けられている。また、ベース部１０の他方面に第１の発光手段（第１の発光基板２３）が一体に組み付けられている（図６（ｄ）参照）。尚、灰皿本体１１と第１、第２の発光基板２３、２６が直に組み付けられる場合には、ベース部１０を省略することも可能である。また、単一の発光手段（例えば第１の発光基板２３）に設けられる光源により両側を光らせることも可能である。
【００２１】
灰皿８は、灰皿本体１１が遊技機前面側に露出する使用位置（図６（ａ）（ｂ）参照）と、灰皿本体１１を遊技機背面側に向かせて使用不能とし第１の発光基板２６の発光態様が視認可能となる灰皿不使用位置（図７（ａ）（ｂ）参照）とで切替え可能に設けられている。灰皿本体１１には、熱硬化性樹脂材（フェノール樹脂材、メラミン樹脂材など）が好適に用いられる。このように、灰皿８の使用時と不使用時とで発光手段の発光態様を工夫することで、灰皿８を遊技機前面部（例えば前面枠３）の有する装飾部、表示部と同様に装飾、演出、報知、宣伝広告効果を持たせることができる。
【００２２】
ベース部１０の一方面には、第２の発光基板２６を覆って１／４球形状の透光性を有する第２のカバー部材１４が灰皿本体１１に組み付けられている（図６（ｂ）（ｄ）、図７（ｂ）（ｄ）参照）。また、ベース部１０の他方面には第１の発光基板２３を覆って半球形状の透光性を有する第１のカバー部材１３が組み付けられている（図６（ｂ）（ｄ）、図７（ｂ）（ｄ）参照）。第１、第２のカバー部材１３、１４は光源のカバーであると共に集光レンズを兼用していてもよい。第１、第２のカバー部材１３、１４としては、光透過性の樹脂材（例えばポリカーボネイト樹脂材、ＡＢＳ樹脂材など）が好適に用いられる。
上記構成によれば、灰皿８の使用位置（図３）不使用位置（図４）にかかわらず第１、第２の発光基板２３、２６の発光態様を光透過性の第１、第２のカバー部材１３、１４を通じて遊技者が視認することができる。よって、灰皿８の使用不使用状態に応じて遊技機の演出効果を変えて遊技者に興趣を持たせることができる。
【００２３】
ベース部１０は枠体部１９の例えば左右方向に設けられる中空の回転軸１５を中心に回転可能に支持され、灰皿使用位置と不使用位置で回転位置を固定して切り替えられる。回転軸１５は左右方向に限らず上下方向に設けられてもよい。
この中空の回転軸１５は、ベース部１０の左右両側に設けられた半円筒状の第１の曲面部１６と第２のカバー部材１４の左右両側に設けられた半円筒状の第２の曲面部１７の端面どうしを突き合わせて形成されている（図６（ｅ）、図７（ｅ）参照）。
【００２４】
また、ベース部１０には、回転軸１５を中心に回転する回転角度を規制する固定部１８（規制手段）が突設されている。固定部１８は、下皿ユニット３３の枠体部１９に係止してねじ２０により固定される。また、回転軸１５は、枠体部１９の曲面状に形成された曲面部２１（図６（ａ）、図７（ａ））と対向する位置にねじ止めされた当て板２２に位置決めされて支持されている（図６（ｆ）、図７（ｆ）参照)。
【００２５】
図８（ａ）（ｂ）は灰皿使用状態の枠体部１９の背面側から見た斜視図及び正面図、図９（ａ）（ｂ）は灰皿不使用状態の枠体部１９の背面側から見た斜視図及び正面図である。ベース部１０の一方面には第２の発光基板２６が固定されている。また、ベース部１０の他方面には第１の発光基板２３が固定されている。第２の発光基板２６の表示面にはＬＥＤなどの光源２４が、背面にはコネクタ端子２５が設けられている（図５参照）。第１の発光基板２３の表示面には点光源としてのＬＥＤや、７セグ用ＬＥＤなどの光源２４が設けられている。第２の発光基板２６に接続されるリード線２７は中空の回転軸１５を通過し枠体部１９と当て板２２との間に形成された隙間から引き出される。
いずれの状態においても、第２の発光基板２６に接続するリード線２７を回転軸１５の軸孔を通じて配線することで、灰皿８の使用不使用状態にかかわらず同じ位置からリード線２７を引き出すことができ、リード線２７が灰皿８と干渉したりねじれたりすることなく配線できる。
【００２６】
図７（ｂ）（ｄ）において、灰皿不使用位置において第１の発光基板２３から発光する光軸が鉛直面に対して斜め上向き（鉛直面に対しておよそ１０度斜め上向き）となるように灰皿８は固定部１８が枠体部１９にねじ２０により固定されている。これにより、図４において、遊技機１に対向して着席している遊技者が下方より発光する灰皿８の演出効果を視認し易くなる。
【００２７】
尚、灰皿使用位置で灰皿８が位置決めされたまま、灰皿本体１１のみを手前側に所定角度回転を許容する回転機構を備えていてもよい。具体的には、図１０（ａ）〜図１０（ｅ）において、ベース部１０に設けられる固定部１８にはスライドピン１８ａ（使用位置規制手段）がねじ止め固定されている（図１０（ｃ)参照）。また、枠体部１９には固定部１８の両側に対応する部位に弧状のレール部２９（角度規制手段）が各々形成されている。このレール部２９に形成される溝部３０にスライドピン１８ａの両端側が各々挿入されている（図１０（ｂ）（ｅ）参照）。
【００２８】
図１０（ａ）において、灰皿８が使用状態（灰皿本体１１が遊技機前面側に露出する状態）にあるときには、スライドピン１８ａは枠体部１９に突き当たる位置の手前側でレール部２９に設けられた突起部(隆起部)を乗り越える（レール部２９を一時的に押し広げる）ことで位置決めされる。また、図１０（ｄ）において、ホール係員が灰皿８を清掃する場合には、灰皿本体１１を手前側下方へ押し下げることにより、スライドピン１８ａが上述した突起部(隆起部)を反対側に乗り越えてレール部２９に沿ってスライドすることで灰皿本体１１がベース部１０と共に時計回り方向に回転する。灰皿本体１１は、スライドピン１８ａがレール部２９の溝端部に突き当たるまで手前側に傾けることができる。また、スライドピン１８ａと枠体部１９を弾性部材（ばね等）により連結し、使用位置の方向へ常時付勢させる構造を採用してもよい。
これにより、使用状態に固定された灰皿８に溜まった吸殻をホール係員が回収し易くなる。
【００２９】
また、図１１（ａ）（ｂ）において、灰皿８の遊技機前面側への突出量は、灰皿使用位置よりも灰皿不使用位置の突出量が小さくなるように設定される。具体的には、ベース部１０の一方面に設けられた灰皿本体１１若しくは第２のカバー部材１４の突出量Ｌ１より他方面に設けられた第１のカバー部材１３の突出量Ｌ２が小さく（Ｌ１＞Ｌ２）なるように設計されていてもよい。即ち、第１のカバー部材１３は、半球状ではなく内部空間の少ない面取りされた曲げ面に形成されている。この場合には、図１１（ｂ）において灰皿不使用時に遊技機前面側のスペースを大きく確保することができ、遊技者の使い勝手が向上する。
【００３０】
ここで、灰皿８の組立て構成の一例を図５の分解斜視図を参照して説明する。
ベース部１０の一方面側にはコネクタ端子２５が設けられた第２の発光基板２６がねじ止め固定される。灰皿本体１１に１／４球状をした第２のカバー部材１４が前面側の一部を覆うように嵌め合わされ、左右両側の第２の曲面部１７がベース部１０の対向する第１の曲面部１６と端面どうしが突き当てられた状態で、第２の発光基板２６を覆うようにねじ止め固定される。
【００３１】
また、ベース部１０の他方面には、第１の発光基板２３がコネクタ端子２５と接続するように重ね合わされ、ねじ止め固定される。このとき、第２の発光基板２６に接続するリード線２７(図８（ａ）参照)は、貫通孔１０ａを通じて回転軸１５の軸孔（図６（ｅ)参照）を通過するように引き回しておく。そして、半球状の第１のカバー部材１３の係止爪１３ａをベース部１０のスリット１０ｂに挿入して係止することで第１の発光基板２３を覆って組み付けられる(図６（ｄ）、図７（ｄ）参照)。
【００３２】
このようにして組み立てられた灰皿８は、図８（ｂ）及び図９（ｂ）において、灰皿８の使用・不使用状態を選択して下皿ユニット３３の枠体部１９に設けられた開口部周縁に形成される曲面部２１（図３、図４参照）に回転軸１５を位置合わせし（図６（ｅ)、図７（ｅ）参照）、固定部１８を枠体部１９へねじ２０により固定されてベース部１０が位置決めされる。また、曲面部２１に回転軸１５（図６（ｅ)、図７（ｅ）参照）を位置決めしたまま当て板２２をねじ２８により固定して灰皿８が遊技機１に組み付けられる。図８（ａ）及び図９（ａ）において、リード線２７は回転軸１５の軸孔（図６（ｅ)、図７（ｅ）参照）を通過して当て板２２と枠体部１９の隙間から背面側に引き出される。
【００３３】
また、図１２において固定部１８には遮光板１８ｂが突設されている。また、枠体部１９には灰皿８の使用・不使用位置を検出するフォトセンサ３１（位置検出手段）が設けられている。灰皿不使用時には、遮光板１８ｂはフォトセンサ３１を遮光（センサＯＮ）するようになっている。
【００３４】
また、図１３において、フォトセンサ３１の検出信号は、発光制御手段３２に入力する。発光制御手段３２はフォトセンサ３１の検出信号に応じて灰皿本体１１側(図５参照)に設けられる第２の発光基板２６（第２の発光手段）と、灰皿本体１１と反対側(図５参照)に設けられる第１の発光基板２３（第１の発光手段）の発光動作を制御する。具体的には、フォトセンサ３１は灰皿８が不使用状態（図２参照）であることを検出したとき（センサＯＮ状態）に発光制御手段３２は遊技機背面を向いた第２の発光基板２６を発光させないよう制御する。また、フォトセンサ３１は灰皿８が使用状態（図１参照）であることを検出したとき（センサＯＦＦ状態）に発光制御手段３２は遊技機背面を向いた第１の発光基板２３を発光させないよう制御する。
これにより、装飾効果が弱い遊技機背面を向いている第１又は第２の発光基板２３、２６の発光を抑制することで消費電力を節約することができる。
【００３５】
なお、本発明では遊技機の一例としてぱちんこ遊技機について説明したが、他にパチスロ機などの灰皿８を有する他の遊技機にも適用できる。
【図面の簡単な説明】
【００３６】
【図１】灰皿使用状態の遊技機の斜視図である。
【図２】灰皿不使用状態の遊技機の斜視図である。
【図３】使用状態の灰皿を示す部分斜視図である。
【図４】不使用状態の灰皿を示す部分斜視図である。
【図５】灰皿の分解斜視図である。
【図６】灰皿使用状態の正面図、右側面図、上視図、矢印Ａ−Ａ断面図、矢印Ｂ−Ｂ断面図、矢印Ｂ−Ｂ断面図、背面図、斜視図である。
【図７】灰皿不使用状態の正面図、右側面図、上視図、矢印Ａ−Ａ断面図、矢印Ｂ−Ｂ断面図、矢印Ｂ−Ｂ断面図、背面図、斜視図である。
【図８】枠体部に組み付けた使用状態の灰皿を背面側から見た斜視図及び正面図である。
【図９】枠体部に組み付けた不使用状態の灰皿を背面側から見た斜視図及び正面図である。
【図１０】灰皿使用状態の側面図、斜視図、背面図である。
【図１１】灰皿使用状態及び不使用状態の断面図である。
【図１２】灰皿不使用状態の背面図である。
【図１３】第１、第２の発光基板の制御系を示すブロック図である。
【符号の説明】
【００３７】
１  遊技機
２  外枠
３  前面枠
４  ヒンジ
５  表示窓
６  上受け皿
７  下受け皿
８  灰皿
９  ハンドル
１０  ベース部
１０ａ  貫通孔
１０ｂ  スリット
１１  灰皿本体
１３  第１のカバー部材
１３ａ  係止爪
１４  第２のカバー部材
１５  回転軸
１６  第１の曲面部
１７  第２の曲面部
１８  固定部
１８ａ  スライドピン
１８ｂ  遮光板
１９  枠体部
２０、２８  ねじ
２１  曲面部
２２  当て板
２３  第１の発光基板
２４  光源
２５  コネクタ端子
２６  第２の発光基板
２７  リード線  
２９  レール部
３０  溝部
３１  フォトセンサ
３２  発光制御手段
３３  下皿ユニット
【図１】
2008295962.tif 000003
【図２】
2008295962.tif 000004
【図３】
2008295962.tif 000005
【図４】
2008295962.tif 000006
【図５】
2008295962.tif 000007
【図６】
2008295962.tif 000008
【図７】
2008295962.tif 000009
【図８】
2008295962.tif 000010
【図９】
2008295962.tif 000011
【図１０】
2008295962.tif 000012
【図１１】
2008295962.tif 000013
【図１２】
2008295962.tif 000014
【図１３】
2008295962.tif 000015